(57)【要約】【課題】簡易な装置及び検出方法により水槽内の魚類の死亡を検出することができる魚類監視システムを提供する。【解決手段】この魚類監視システムは、外壁３と内壁４を有する水槽２を備えている。外壁４の長さＬを基準軸とし、上流側の外壁４の位置をＰ０、外壁４の長さ方向中央部をＰ１、下流側の外壁４の位置をＰ４とし、更にＰ１からＰ４の間を約三等分する点を上流側からＰ２、Ｐ３とすると、内壁５の幅は、Ｐ０〜Ｐ１までが外壁４の幅Ｗとほぼ同一で一定の大きさであり、Ｐ１〜Ｐ２まで幅ｄとなるまで弧を描くように両側から狭まり、Ｐ２からＰ４までが幅ｄで一定となっている。更に、内壁５に囲まれた部分のＰ３の位置には、内壁５よりも高さが一段低い仕切り板６が内壁５と底面及び側面で接合している。外壁４には、Ｐ２〜Ｐ３の位置において水槽２内部の魚の死骸やごみ等を検出する投光器７ａと受光器７ｂとからなる光電式センサ７が設置されている。【選択図】図２
2007218831.tif 000002
【特許請求の範囲】
【請求項１】
一端側に対し他端側の幅が狭く形成され水と共に監視魚類を収容する水槽と、
前記水槽内に収容された水を前記水槽の一端側から他端側へと循環させる循環手段と、
前記水槽の他端側の液面付近を検出領域として配置されたセンサと、
前記センサの出力を入力して前記検出領域における行動停止魚類の存在を検出し外部装置に検出信号を出力する制御手段と
を備えたことを特徴とする魚類監視システム。
【請求項２】
前記循環手段は、
前記水槽内に供給される水を濾過する濾過槽と、
前記濾過槽から水を汲み上げるポンプと、
前記ポンプで汲み上げられた水を前記水槽の一端側に供給する給水パイプと、
前記水槽の他端側から排水された水を前記濾過槽に排出する排水パイプと
を備えたものであることを特徴とする請求項１記載の魚類監視システム。
【請求項３】
前記水槽は、前記他端側に前記水槽の内壁の高さよりも低い仕切壁が設けられ、この仕切壁によって、一端側が飼育槽、他端側が前記飼育槽から溢れ出た水が流入するオーバーフローピットに２分されており、
前記光電式センサは、前記飼育槽の前記仕切壁の直前に前記仕切壁の高さに合わせて設置されている
ことを特徴とする請求項１又は２記載の魚類監視システム。
【請求項４】
前記水槽は、飼育槽からオーバーフローピットにかけて側壁がゆるやかな弧を描くように形成されていることを特徴とする請求項３記載の魚類監視システム。
【請求項５】
前記水槽内に収容された水の中に気泡を供給するエアー噴出手段を有し、
前記循環手段は、前記水と共に前記気泡を前記水槽の一端側から他端側へと循環させるものである
ことを特徴とする請求項１記載の魚類監視システム。
【請求項６】
前記制御手段は、前記検出領域における行動停止魚類の存在を一定時間検出したら前記外部装置に検出信号を出力することを特徴とする請求項１記載の魚類監視システム。
【発明の詳細な説明】
【技術分野】
【０００１】
本発明は、水槽内の魚類を監視する魚類監視システムに関する。
【背景技術】
【０００２】
近年、排水や農薬等の有害物質による水質汚染の安全性を調査するために、魚類飼育水槽内の魚類の生死を判断することにより急性有毒物質の混入を調査する上水試験法が用いられている。このような上水試験法で用いられる魚類監視システムとしては、水槽内に評価対象である水を循環させ、この水槽内に収容する魚類をビデオカメラ等を用いて撮像し、撮像画像を無線や優先等を介し遠隔地に送信することができるものが知られている（特許文献１）。また、この魚類監視システムは、水槽内に水を入れる注入口付近に、水温を任意の温度に調整するための水温調整装置と、水中の大まかなゴミを取り除くための濾過フィルタが設置されており、水槽内の環境を調整することができる。
【特許文献１】特開２００１−２３５４６３
【発明の開示】
【発明が解決しようとする課題】
【０００３】
しかしながら、特許文献１に開示された魚類監視システムでは、水槽内の魚を撮像画像により観測しているため、自動的に魚類の死亡を検出するには画像解析装置を用いなければならず、装置が大がかりとなり、また撮像画像の時間相関を行うなど解析方法も非常に複雑となる。
【０００４】
本発明は、このような点に鑑みてなされたものであり、簡易な装置及び検出方法により水槽内の魚類の死亡を検出することができる魚類監視システムを提供することを目的とする。
【課題を解決するための手段】
【０００５】
本発明による魚類監視システムは、一端側に対し他端側の幅が狭く形成され水と共に監視魚類を収容する水槽と、前記水槽内に収容された水を前記水槽の一端側から他端側へと循環させる循環手段と、前記水槽の他端側の液面付近を検出領域として配置されたセンサと、前記センサの出力を入力して前記検出領域における行動停止魚類の存在を検出し外部装置に検出信号を出力する制御手段とを備えたことを特徴とする。
【発明の効果】
【０００６】
本発明によれば、水槽内の下流側に流路が狭められた検出部を備えることにより魚の死骸を検出部に留め、この検出部にセンサを備えることで魚の死亡を容易に検出することができる。
【発明を実施するための最良の形態】
【０００７】
以下、添付した図面を参照して、本発明に係る実施の形態について説明する。
【０００８】
図１は、本発明の第１の実施形態に係る魚類監視システムの正面図である。また、図２は、同魚類監視システムの平面図である。
【０００９】
木製の設置台１は、内部に収納スペースを有し、図示しない目隠しのための扉等が設けられている。設置台１の上には、アクリルからなる水槽３が載置されている。水槽３は、上面側が開口した箱型になるように外壁４によって囲まれ、更に、この外壁４の内側には、外壁４と同じ高さの内壁５が形成された２重構造をしている。
【００１０】
この水槽３の上面には、取り外し可能なアルミ製の下フタ２２と、更にこの下フタ２２の上に透明アクリルからなる上フタ２３が配されている。アルミ製の下フタ２２は、アルミ板に、後述する水槽３の飼育部Ａ及び検出部Ｂの上面にあたる位置に、飼育部Ａ及び検出部Ｂとほぼ同じ面積を有する開口孔２２ａ及び２２ｂがそれぞれ設けられたものである。また、開口孔２２ａと開口孔２２ｂとの間の底面には、下フタ２２を支えるアクリルからなる支え板２７が渡されている。
【００１１】
上フタ２３は、後述する飼育部Ａの上部にある上フタ２３―１と、後述する検出部Ｂの上部にある下フタ２３―２の２部材からなり、上フタ２３−１には、飼育部Ａのほぼ中央にあたる位置に餌入れ口としての小孔２３ａが設けられ、上フタ２３−２には、検出部Ｂのほぼ中央にあたる位置に魚の死骸の取り出し口としての小孔２３ｂが設けられている。この小孔２３ａ及び２３ｂの上面には、枢軸２５ａ、２５ｂを中心として回転するようにスライドして開閉するスライド式フタ２４ａ、２４ｂがそれぞれ設けられている。なお、アクリルからなる上フタ２３には、図示しない複数の空気孔が形成されている。
【００１２】
図３は、同魚類監視システムの下フタ２２と上フタ２３とを取り外した状態の平面図である。
【００１３】
内壁５は、幅が長さ方向によって異なるように形成されている。ここで、紙面左手側を後述する上流側とし、紙面右手側を下流側と定義する。外壁４の長さＬを基準軸とし、上流側の外壁４の位置をＰ０、外壁４の長さ方向中央部をＰ１、下流側の外壁４の位置をＰ４とし、更にＰ１からＰ４の間を約三等分する点を上流側からＰ２、Ｐ３とすると、内壁５の幅は、Ｐ０〜Ｐ１までが外壁４の幅Ｗとほぼ同一で一定の大きさであり、Ｐ１〜Ｐ２まで幅ｄとなるまでゆるやかな弧を描くように両側から徐々に狭まり、Ｐ２からＰ４までが幅ｄで一定となっている。更に、内壁５に囲まれた部分のＰ３の位置には、内壁５よりも高さが一段低い仕切り板６が内壁５と底面及び側面で接合している。ここで、内壁５に囲まれた部分において、Ｐ０〜Ｐ３の領域を飼育部Ａとし、Ｐ２〜Ｐ３の領域を検出部Ｂとし、Ｐ３〜Ｐ４の領域をオーバーフローピットＣとする。
【００１４】
内壁５の正面には、Ｐ２〜Ｐ３であり且つ仕切り板６の高さの位置に光電式センサ７の投光器７ａが設けられ、この投光器７ａと対向する内壁５の背面には、この投光器７ａからの光を受信する受光器７ｂが設置されている。この光電式センサ７は、図６に示すように、設置台１の収納スペースに備えられた制御装置８と電気的に接続されており、光電式センサ７の検出信号は、内部にタイマー回路を備えた制御装置８に出力される。
【００１５】
水槽３の底面には、上流側のＰ０付近に水を給水するための給水口９が設けられており、この給水口９を介して水槽３底面から給水パイプ１０が飼育部Ａに挿入されている。また、給水パイプ１０には、先端部に幅方向に複数の給水孔１１ａを備えた給水ノズル１１が設けられ、中間部に給水量を調整するための給水バルブ１０ａが設けられている。更に、水槽３の底面には、Ｐ１付近に排水口１２が設けられ、内壁４に囲まれたＰ３とＰ４との間に、後述するオーバーフロー排水口１３が設けられている。排水口１２、オーバーフロー排水口１３は、それぞれ設置台１の収納スペースに設けられた排水パイプ１４、オーバーフロー排水パイプ１５に接続されている。なお、排水パイプ１４には、排水量を調整するための排水バルブ１４ａが設けられている。ここで、給水パイプ１０及びオーバーフロー排水パイプ１５は、設置台１内部に設けられた水を濾過する濾過層１６に接続されており、ポンプ１７を駆動することで水が濾過槽１６→給水パイプ１０→水槽３→オーバーフロー排水パイプ１５→濾過槽１６と循環するように構成されている。また、水槽３の上流側底面には、水槽３の幅Ｗ方向全体からエアーを噴出するエアー噴出器２６が設けられている。
【００１６】
次に、このように構成された魚類監視システムの動作について説明する。
【００１７】
図４は、同装置の使用時の様子を示す一部正面図であり、図５は、図４のＡ−Ａ’断面図である。
【００１８】
給水パイプ１０からは、幅方向に広がった給水ノズル１１を介して飼育部Ａに水が一定量Ｑで給水されている。このように供給された水は、飼育部Ａを流れ、飼育部Ａを囲むうち最も低い側壁である仕切り板６の上部から一定量Ｑだけ溢れ出る。この溢れ出た水は、オーバーフローピットＣに流出し、オーバーフローピットＣの底面に配されたオーバーフロー排水口１３より排水される。なお、飼育部Ａを清掃する際には、排水バルブ１４ａを開いて飼育部Ａの水を抜くことができる。
【００１９】
このように水が循環する飼育部Ａには、魚類２０を入れて飼育を行う。ここで、飼育部Ａ内で魚が死亡すると、魚の死骸２１は、飼育部Ａの下流部分である検出部Ｂの水面近くに浮き上がる。魚の死骸２１が水面近くに浮き上がると、検出部Ｂの仕切り板６の高さ周辺に設けられた光電式センサ７は、この魚の死骸２１を検出して制御装置８に検出信号を出力する。制御装置８は、この検出信号が一定時間以上入力されたかをタイマー回路を用いて判定し、一定時間以上検出信号が入力されると外部装置に信号を出力する。なお、この外部装置は、ブザーを鳴らす機能等を備え、魚類監視システムから離れた場所にいる管理者等に魚の死亡を知らせる。
【００２０】
このように、本発明は、内壁５の下流部の幅を狭めることによって魚の死骸やごみ等を検出部Ｂに集め、この検出部Ｂの水面付近に光電式センサ７を設けることによって容易に魚の死骸２１や水面に浮かんだごみを検出することができる。
【００２１】
また、仕切り板６を、検出部Ｂの流路幅いっぱいに設置しているため、水面の変化を穏やかにしつつ水の流量を大きく取ることができる。
【００２２】
更に、制御装置８にタイマー回路を設けることにより、魚が一定時間以上留まっている場合のみ検知信号を外部装置に出力するため、検出部Ｂに留まって泳いでいる魚２０と魚の死骸２１とを簡単な装置で判別することができる。
【００２３】
更に、内壁５のＰ１〜Ｐ２までの区間がゆるやかな弧を描いているため、水流による渦が発生し難く、Ｐ１付近に魚の死骸２１が停留するのを防止することができる。また、水槽３の上流側に、エアー噴出器２６を設けることにより、このエアー噴出器２６から出る気泡が水流と共に移動して魚の死骸２１が検出部Ｂに運搬されやすくなる。
【００２４】
なお、この実施例では、投光器と受光器からなる透過型光電式センサを用いているが、反射型光電センサを用いてもよい。
【図面の簡単な説明】
【００２５】
【図１】本発明の実施形態に係る魚類監視システムの正面図である。
【図２】同魚類監視システムの平面図である。
【図３】同魚類監視システムのフタを外した状態の平面図である。
【図４】同魚類監視システムの左側面図である。
【図５】同魚類監視システムの仕様時の様子を示す一部正面図である。
【図６】図４のＡ−Ａ’断面図である。
【図７】同魚類監視システムのブロック図である。
【符号の説明】
【００２６】
１…設置台、３…水槽、４…外壁、５…内壁、６…仕切り板、７…光電式センサ、８…制御装置、９…給水口、１０…給水パイプ、１１…給水ノズル、１２…排水口、１３…オーバーフロー排水口、１４…排水パイプ、１５…オーバーフロー排水パイプ、１６…濾過槽、１７…ポンプ、２０…魚、２１…魚の死骸、２２…下フタ、２３…上フタ、２４…スライド式フタ、２５…枢軸、２６…エアー噴出器。
【図１】
2007218831.tif 000003
【図２】
2007218831.tif 000004
【図３】
2007218831.tif 000005
【図４】
2007218831.tif 000006
【図５】
2007218831.tif 000007
【図６】
2007218831.tif 000008
【図７】
2007218831.tif 000009